(57)【要約】【課題】プールサイドから可動床に達し、可動床の昇降に伴い上り下りするスロープを備えており、可動床を最上位置に持上げてフロアとして使用するとき或いは可動床を清掃する際、可動床とスロープとの段差をなくして可動床上での行き来がスムーズに行えるようにする。【解決手段】スロープ２は基端がプールサイドと同一レベルをなして回動可能に軸支され、自由端に軸支されるコロ５が可動床１の側方に突設されるレール７に転動可能に係合し、可動床１を最上位地に持上げたとき、スロープ２が可動床１と同レベルをなすようにする。【選択図】図２
2005273358.tif 000002
【特許請求の範囲】
【請求項１】
プールに昇降可能に配置されて昇降手段によって昇降する可動床において、プールサイドから可動床に達し、かつ下端には可動床を転動する転動手段を有して可動床の昇降に従動して勾配が変えられるスロープを備えた可動床であって、可動床は水平な下向きの転動面を有しており、該転動面に上記転動手段が下方より転動可能に係合すると共に、スロープ端に旋回可能に軸支されるデッキが可動床に掛け渡されることを特徴とするプールの可動床。
【請求項２】
可動床が最上位地に達したとき、スロープが可動床と段差を生じないようにスロープ基端がプールサイドに軸支されることを特徴とする請求項１記載のプールの可動床。
【発明の詳細な説明】
【技術分野】
【０００１】
本発明は、プールに昇降可能に設置される可動床に関し、ことにプールサイドから可動床に達するスロープを備えた可動床に関する。
【背景技術】
【０００２】
老人や子供或いは身体障害者がプールサイドからプールの中に歩いて入ることができるようにするため、プールサイドからプール底に達するスロープを設けたものが知られる。また可動床を昇降させて水深を変えられるようにしたプールにおいても、プールサイドから可動床に達するスロープを設け、可動床の昇降に従動してスロープの勾配が変わるようにしたものが下記特許文献１に開示されている。
【特許文献１】特開２００２−４６１３号
【発明の開示】
【発明が解決しようとする課題】
【０００３】
特許文献１記載の可動床においては、可動床がどのようなレベルにあってもスロープを支障なく利用することができるが、なお改善すべき余地がある。
本発明は、可動床とスロープ端との間に段差が生ずることがないようにしたものである。
【課題を解決するための手段】
【０００４】
請求項１に係る発明は、プールに昇降可能に配置されて昇降手段によって昇降する可動床において、プールサイドから可動床に達し、かつ下端には可動床を転動する転動手段を有して可動床の昇降に従動して勾配が変えられるスロープを備えた可動床であって、可動床は水平な下向きの転動面を有しており、該転動面に上記転動手段が下方より転動可能に係合すると共に、スロープ端に旋回可能に軸支されるデッキが可動床に掛け渡されることを特徴とする。
【０００５】
本発明で用いられる昇降手段としては、可動床を昇降させる既知の昇降手段、例えば減速機付きモータによって回転駆動される巻胴と、該巻胴に巻き取られ、可動床を吊持するワイヤー、ロープ、チェーン等の索条よりなるもの、縦向きに配置されて可動床に無端状をなして連結されるワイヤー、ロープ、チェーン等の索条と、減速機付きモータによって回転駆動され、上記索条に係合し、該索条を循環駆動させるプーリ、スプロケットよりなるもの、プール底と可動床を連結するエア又は油圧シリンダー等を用いることができる。
【０００６】
請求項２に係る発明は、請求項１に係る発明の可動床が最上位地に達したとき、スロープが可動床と段差を生じないようにスロープ基端がプールサイドに軸支されることを特徴とする。
【発明の効果】
【０００７】
請求項１に係る本発明によると、可動床が昇降すると、スロープの転動手段が可動床の転動面を転動しながらスロープが持上げられ、或いは下ろされて勾配を変え、かつデッキが自由端を可動床上面に滑動させながら屈折する。
【０００８】
転動手段が可動床上面を転動する場合、スロープ端と可動床との間には段差が生ずるようになるが、転動手段を可動床の下向きの転動面に係合させることによりスロープ端と可動床との間の段差をなくし、或いは少なくすることができ、可動床からスロープに移動する際、デッキを伝わって段差で躓くことなくスムースに移動することができる。
【０００９】
可動床はまた、例えば冬季においてプールを使用しないときには、最上位置に上げてフロアとして使用されることがあり、また上面の清掃のため最上位置に上げられることがある。いずれの場合でも最上位置に上げられた可動床の上を歩行することになるが、請求項２に係る発明によると、可動床を最上位置に上げたとき、スロープと可動床との間には段差がないため、スロープと可動床との間の行き来がスムースに行えるようになる。
【発明を実施するための最良の形態】
【００１０】
以下、本発明の一実施形態について図面により説明する。
図１は、図示しない昇降手段によって昇降する可動床１を配置したプールを示すもので、可動床１は、プールサイドに沿って配置され、図２に示すように可動床１の昇降に従動して持上げられ、或いは下げられて勾配を変えることのできるスロープ２を備えている。
【００１１】
スロープ２は、図３に示すように基端がプールサイドと同一レベルをなしてプール底に縦設される支柱３上端に回動可能に軸支され、また自由端に図４に示すようにアーム４を側方に突設してアーム端に転動手段としてのコロ５を軸着すると共に、デッキ６を回動可能に軸着している。前者のコロ５は、スロープ２の延長上に位置する可動床１の踊り場１ａより側方に突設されるレール７に転動可能に係合し、可動床１の昇降に伴うスロープ２の傾動によりレール７を転動するようになっており、レール７の上面は水平な下向きの転動面を構成している。
【００１２】
後者のデッキ６は、自由端が可動床１に掛けられ、可動床１の昇降に伴い自由端を可動床１に掛け渡した状態で屈折するようになっている。
【００１３】
本実施形態の可動床は以上のように構成され、可動床１が昇降するのに伴いスロープ２がコロ５をレール７に沿い転動させながら持上げられ、或いは下げられて勾配を変化させるが、コロ５は可動床１の上面に係合するのではなく、可動床側端面より側方に突出するレール７に係合するから、図４に示すようにスロープ端と可動床１との間の段差を小さくすることができ、スロープ端と可動床１との間にはデッキ６が掛けられ、可動床１からスロープ２へデッキ８を伝って上り下りされるから、可動床１からスロープ２への移動がスムースに行える。また図２の実線で示すように、可動床を最上位地に持上げたときには、スロープ２も水平となってプールサイドや可動床１と同じレベルとなり、可動床１との段差をなくすことができる。図５は、可動床１を最上位置に持上げたときのスロープ端との位置関係を示すもので、図示されるように可動床１とスロープ端は同じレベルをなしている。
【産業上の利用可能性】
【００１４】
本発明の可動床はプールに実施される。
【図面の簡単な説明】
【００１５】
【図１】可動床を備えたプールの平面図。
【図２】スロープの正面図。
【図３】図２に示すスロープの基端部の拡大図。
【図４】図２に示すスロープの自由端部における拡大図。
【図５】可動床が最上位置に持上げられたときのロープの自由端部を示す図。
【符号の説明】
【００１６】
１・・可動床
２・・スロープ
３・・支柱
４・・アーム
５・・コロ
６・・デッキ
７・・レール
【図１】
2005273358.tif 000003
【図２】
2005273358.tif 000004
【図３】
2005273358.tif 000005
【図４】
2005273358.tif 000006
【図５】
2005273358.tif 000007